(57)【特許請求の範囲】
【請求項１】
本体を備え前記本体から毛髪に向かって流体を排出することによってヘアケアを行うヘアケア機器であって、前記本体は、
円筒形の外壁と、
前記外壁内を延びる円筒形のシャーシと、を有し、
前記シャーシは、ロック機能部を含み、
前記本体の前記外壁は、前記外壁の長手方向に関する第１の端部及び第２の端部の両方に隣接する係合機能部を含み、
前記ロック機能部及び前記係合機能部は、前記シャーシを前記外壁に対して回転させたときに前記ロック機能部が前記係合機能部に対して回転して前記ロック機能部が前記係合機能部に係合して、これにより前記シャーシを前記外壁内の所定位置に保持且つロックして前記シャーシと前記外壁との間に前記流体を通過させる流体流路を形成するように協働するよう適合される、
ことを特徴とするヘアケア機器。
【請求項２】
前記外壁は、内面を有し、前記係合機能部は、前記内面から半径方向内向きに延びる、請求項１に記載のヘアケア機器。
【請求項３】
前記係合機能部は、前記外壁の内面から延びるリブを含む、
請求項１又は２に記載のヘアケア機器。
【請求項４】
前記係合機能部は、前記外壁の前記内面の周囲で少なくとも部分的に延びる、
請求項２又は３に記載のヘアケア機器。
【請求項５】
前記係合機能部は、一対の係合機能部を含む、
請求項１から４のいずれか１項に記載のヘアケア機器。
【請求項６】
前記一対の係合機能部は、半径方向に離間する、
請求項５に記載のヘアケア機器。
【請求項７】
前記ロック機能部は、ロックリブを含む、
請求項１から６のいずれか１項に記載のヘアケア機器。
【請求項８】
前記リブは、前記シャーシから前記外壁に向かって半径方向に延びる、
請求項７に記載のヘアケア機器。
【請求項９】
前記シャーシは、所定位置に保持されると、前記外壁内で半径方向及び長手方向の両方に制約される、
請求項１から８のいずれか１項に記載のヘアケア機器。
【請求項１０】
前記シャーシは、第１の部分及び第２の部分を含む、
請求項１から９のいずれか１項に記載のヘアケア機器。
【請求項１１】
前記シャーシの前記第１の部分は、前記シャーシの前記第２の部分に１つの方向で接続する、
請求項１０に記載のヘアケア機器。
【請求項１２】
前記シャーシの前記第１の部分、及び前記シャーシの前記第２の部分の各々は、１つの方向でのみ係合する少なくとも２つの非対称的な協働する突出部及び凹部を含む、
請求項１１に記載のヘアケア機器。
【請求項１３】
前記本体は、ヒータを収容し、該ヒータは、前記シャーシの前記第２の部分に取り付けられる、
請求項１から１２のいずれか１項に記載のヘアケア機器。
【請求項１４】
前記ヒータは、該ヒータが前記シャーシの前記第２の部分に１つの方向でのみ取り付け可能であるように、前記シャーシの前記第２の部分の前記少なくとも２つの非対称的な協働する突出部及び凹部と協働する位置決めリングを含む、
請求項１２に従属する請求項１３に記載のヘアケア機器。
【請求項１５】
前記本体は、ＰＣＢを有し、該ＰＣＢは、前記シャーシの前記第１の部分に取り付けられる、
請求項１から１４のいずれか１項に記載のヘアケア機器。
【請求項１６】
前記本体は、前記ＰＣＢに接続されたＰＣＢバッフルを有する、
請求項１５に記載のヘアケア機器。
【請求項１７】
前記ＰＣＢバッフルは、前記ＰＣＢ及び前記ＰＣＢバッフルを前記シャーシの前記第１の部分に１つの配向でのみ取り付け可能であるように、位置決め機能部を含む、
請求項１６に記載のヘアケア機器。
【請求項１８】
前記本体は、保持壁を有し、該保持壁は、前記シャーシを前記外壁に対して回転した位置に保持する、
請求項１から１７のいずれか１項に記載のヘアケア機器。
【請求項１９】
前記保持壁は、前記本体の一端において前記シャーシを覆って延びる、
請求項１８に記載のヘアケア機器。
【請求項２０】
前記保持壁は、前記外壁及び前記シャーシに係合して、前記シャーシを前記外壁に対して回転した位置に維持する、
請求項１９に記載のヘアケア機器。
【請求項２１】
前記シャーシは、第１の部分及び第２の部分を含み、前記保持壁は、前記本体の一端から、前記シャーシの前記第１の部分と前記シャーシの前記第２の部分との間に形成された接合部を越えて延びる、
請求項１７から２０のいずれか１項に記載のヘアケア機器。
【請求項２２】
前記保持壁は、前記シャーシ内で前記接合部を越えて少なくとも部分的に前記本体に沿って一端から延び且つ半径方向に延びる管体を含む、
請求項２１に記載のヘアケア機器。
【請求項２３】
前記管体は、前記管体の周囲で前記管体と前記シャーシとの間に半径方向に延びるリップシールを含む、
請求項２２に記載のヘアケア機器。
【請求項２４】
前記保持壁と、前記外壁及び前記シャーシの一方又は両方との間にＯリングが設けられる、
請求項２０から２３のいずれか１項に記載のヘアケア機器。
【請求項２５】
前記Ｏリングは、前記保持壁と前記外壁との間に配置される、
請求項２４に記載のヘアケア機器。
【請求項２６】
前記流体流路からの流体が排出される一次流体出口は、前記本体の下流端に存在する、
請求項１から２５のいずれか１項に記載のヘアケア機器。
【請求項２７】
前記内壁は、下流端及び上流端を有し、前記下流端は、前記一次流体出口を少なくとも部分的に定める、
請求項２６に記載のヘアケア機器。
【請求項２８】
前記内壁の前記上流端は、前記外壁に向かって延びる、
請求項２７に記載のヘアケア機器。
【請求項２９】
前記内壁は、前記外壁に向かって延びるシール部分を含む、
請求項２７又は２８に記載のヘアケア機器。
【請求項３０】
前記シール部分は、前記内壁の前記上流端と前記下流端との間に存在する、
請求項２９に記載のヘアケア機器。
【請求項３１】
前記ヘアケア機器は、ヘアドライヤである、
請求項１から３０のいずれか１項に記載のヘアケア機器。
【発明の詳細な説明】
【技術分野】
【０００１】
本発明は、手持型機器に関し、特にヘアケア機器、及びこのような機器からの流体出口に関する。
【背景技術】
【０００２】
塗料又は毛髪などの物質の乾燥、及び表層の洗浄又は除去などの様々な用途には、送風機、特に温風送風機が使用される。また、髪を濡れた状態又は乾いた状態から整えるためにも、高温整髪ブラシなどの温風送風機が使用される。
【０００３】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体吸気口にフィルタが設けられる。従来、このような機器は、機器から排出される流体流の形状及び速度を変化させる、取り付け及び取り外しが可能なノズルを備える。このようなノズルは、その時のユーザの要求に応じて、機器の流出を集中させたり、又は流出を拡散させたりするために使用することができる。
【発明の概要】
【課題を解決するための手段】
【０００４】
第１の態様によれば、本体を備えたヘアケア機器であって、本体は、外壁と、外壁内を延びるシャーシとを有し、シャーシは、ロック機能部を含み、本体は、ロック機能部が係合機能部に対して回転した時に、シャーシを外壁内の所定位置に保持するように適合された係合機能部を含むヘアケア機器を提供する。
【０００５】
外壁は、内面を有し、係合機能部は、内面から半径方向内向きに延びることが好ましい。
【０００６】
係合機能部は、外壁の内面から延びるリブを含むことが好ましい。
【０００７】
係合機能部は、外壁の内面の周囲で少なくとも部分的に延びることが好ましい。
【０００８】
係合機能部は、一対の係合機能部を含むことが好ましい。
【０００９】
一対の係合機能部は、半径方向に離間することが好ましい。この機能部は、外壁内におけるシャーシの同心性を維持する役に立つ。
【００１０】
ロック機能部は、ロックリブを含むことが好ましい。
【００１１】
リブは、シャーシから外壁に向かって半径方向に延びることが好ましい。
【００１２】
シャーシは、所定位置に保持されると、外壁内で半径方向及び長手方向の両方に制約されることが好ましい。
【００１３】
本体は、第１の端部及び第２の端部を有し、外側本体及びシャーシは、第１の端部及び第２の端部の両方に隣接する協働するロック機能部及び係合機能部を含むことが好ましい。
【００１４】
シャーシは、第１の部分及び第２の部分を含むことが好ましい。
【００１５】
シャーシの第１の部分は、シャーシの第２の部分に１つの方向で接続することが好ましい。
【００１６】
シャーシの第１の部分、及びシャーシの第２の部分の各々は、１つの方向でのみ係合する少なくとも２つの非対称的な協働する突出部及び凹部を含むことが好ましい。
【００１７】
本体は、ヒータを収容し、このヒータは、シャーシの第１の部分に取り付けられることが好ましい。
【００１８】
ヒータは、ヒータをシャーシの第１の部分に１つの方向でのみ取り付け可能であるように、シャーシの第１の部分の少なくとも２つの非対称的な協働する突出部及び凹部と協働する位置決めリングを含むことが好ましい。
【００１９】
本体は、ＰＣＢ（Printed Circuit Board）を有し、このＰＣＢは、シャーシの第２の部分に取り付けられることが好ましい。
【００２０】
本体は、ＰＣＢに接続されたＰＣＢバッフルを有することが好ましい。
【００２１】
ＰＣＢバッフルは、ＰＣＢ及びＰＣＢバッフルをシャーシの第２の部分に１つの方向でのみ取り付け可能であるように、位置決め機能部を含むことが好ましい。
【００２２】
本体は、保持壁を有し、この保持壁は、シャーシを外壁に対して回転した位置に保持することが好ましい。
【００２３】
保持壁は、本体の一端においてシャーシを覆って延びることが好ましい。保持壁は、外壁及びシャーシに係合して、シャーシを外壁に対して回転した位置に維持することが好ましい。
【００２４】
シャーシは、第１の部分及び第２の部分を含み、保持壁は、本体の一端から、シャーシの第１の部分とシャーシの第２の部分との間に形成された接合部を越えて延びることが好ましい。
【００２５】
保持壁は、シャーシ内で接合部を越えて少なくとも部分的に本体に沿って一端から延び且つ半径方向に延びる管体を含むことが好ましい。
【００２６】
管体は、管体の周囲で管体とシャーシとの間に半径方向に延びるリップシールを含むことが好ましい。
【００２７】
保持壁と、外壁及びシャーシの一方又は両方との間にＯリングが設けられることが好ましい。
【００２８】
Ｏリングは、保持壁と外壁との間に配置されることが好ましい。
【００２９】
ヘアケア機器は、ヘアドライヤであることが好ましい。
【００３０】
以下、添付図面を参照しながら本発明を一例として説明する。
【図面の簡単な説明】
【００３１】
【図１】本発明による機器の斜視図である。
【図２】図１の機器の断面図である。
【図３】図１及び図２の機器の一部の分解図である。
【図４ａ】本発明による機器の一部の前方等角図である。
【図４ｂ】本発明による機器の一部の後方等角図である。
【図５】本発明による、部品を取り付けていない組み立てたカートリッジを示す図である。
【図６】本発明による機器の本体の第２の端部の内部図である。
【図７】本発明による機器の本体の拡大側面図である。
【発明を実施するための形態】
【００３２】
図１及び図２に、ハンドル２０及び本体３０を備えたヘアドライヤ１０を示す。ハンドルは、本体３０に接続された第１の端部２２と、本体３０からの遠位側に存在する、一次流体入口４０を含む第２の端部２４とを有する。ヘアドライヤ１０には、ケーブル５０を介して電力が供給される。ケーブル５０のヘアドライヤ１０からの遠位端には、例えば主電源又はバッテリパックへの電気的接続をもたらすプラグ（図示せず）が設けられる。
【００３３】
ハンドル２０は、本体３０からハンドルの遠位端２４の方に延びる外壁２００を有する。ハンドルの遠位端２４では、外壁２００を横切って端壁２１０が広がる。ケーブル５０は、この端壁２１０を通じてヘアドライヤに入り込む。ハンドル２０の一次流体入口４０は、ハンドル２０の遠位端２４から延びる一連の行及び／又は列の形でハンドルの外壁２００に沿ってその周囲に広がる第１の開口部４２と、ハンドル２０の端壁２１０を貫いてその全体に広がる第２の開口部４６とを有する。ケーブル５０は、端壁２１０のほぼ中央に位置し、従ってハンドル２０の中心から延びる。ハンドル２０は、長手方向軸Ｘ−Ｘを有し、外壁２００は、この軸に沿って本体３０から遠位端２４に向かって延びる。
【００３４】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きによって変化し、ユーザの気が散ってしまう。
【００３５】
一次流体入口４０の上流には、ファンユニット７０が設けられる。ファンユニット７０は、ファン及びモータを含む。ファンユニット７０は、一次流体入口４０から本体３０内に延びる一次流体流路４００を通じて、一次流体入口４０から本体３０に向けて流体を吸い込み、ハンドル２０と本体３０は接合部９０において接合される。本体３０は、第１の端部３２及び第２の端部３４を有し、一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００３６】
本体３０は、外壁３６０及び内側ダクト３１０を含む。一次流体流路４００は、ハンドル２０と本体３０との接合部９０から本体に沿って、外壁３６０と内側ダクト３１０の間を本体３０の第２の端部３４における一次流体出口４４０に向かって延びる。
【００３７】
内壁２６０は、外壁３６０内を延びる。内壁２６０は、少なくとも部分的に一次流体出口４４０を定め、本体３０の第２の端部３４から内側ダクト３１０と外壁３６０との間に延びる。
【００３８】
本体内には別の流体流路も設けられ、この流れはファンユニット又はヒータによって直接処理されず、ヘアドライヤ内の一次流を形成するファンユニットの作用によってヘアドライヤに吸い込まれる。この流体流は、一次流体流路４００内を流れる流体によってヘアドライヤ内に取り込まれる。
【００３９】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、内側ダクト３１０内を流体入口３２０から流体出口３４０に延びる。本体３０の第１の端部３２では、外壁３６０と内側ダクト３１０との間に側壁３５０が広がる。この側壁３５０は、少なくとも部分的に流体入口３２０を定める。一次流体出口４４０は環状であり、流体流路を取り囲む。
【００４０】
本体３０内の側壁３５０及び流体入口３２０の近くには、ヘアドライヤの制御電子回路を含むＰＣＢ７５が存在する。ＰＣＢ７５はリング状であり、内側ダクト３１０と外壁３６０との間で内側ダクト３１０の周囲に延びる。ＰＣＢ７５は、一次流体流路４００と流体連通する。ＰＣＢ７５は、流体流路３００の周囲に延び、内側ダクト３１０によって流体流路３００から分離される。
【００４１】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【００４２】
ＰＣＢ７５の下流にはヒータ８０が存在し、ＰＣＢ７５とヒータ８０との間にはＰＣＢバッフル７００が設けられる。ＰＣＢバッフルは、とりわけヒータ８０がオンになった時にＰＣＢ７５の熱保護を行う。
【００４３】
使用時には、ファンユニット７０の作用によって流体が一次流体流路４００内に吸い込まれ、任意にヒータ８０によって加熱されて一次流体出口４４０から排出される。この処理流により、流体入口３２０において流体流路３００内に流体が取り込まれるようになる。この流体は、本体の第２の端部３４において処理流と合流する。図２に示す例では、この処理流が、流体出口３４０を通じてヘアドライヤから排出される取り込まれた流れを取り囲む環状流として一次流体出口４４０及びヘアドライヤから排出される。従って、ファンユニット及びヒータによって処理された流体は、取り込まれた流れによって増大する。
【００４４】
図３〜図７を具体的に参照すると、ダクト３１０は、本体３０の第１の端部３２から延びる第１の部分３１０ａ、本体の第２の端部３４から延びる第２の部分３１０ｂ、及び本体３０の第１の端部３２から第１の部分３１０ａ内を延びる第３の部分３１０ｃという複数の部分で形成される。ダクトの第１の部分３１０ａ及び第２の部分３１０ｂは、ヘアドライヤの様々な構成部品が取り付けられるシャーシを含む。ダクトの第３の部分３１０ｃは、シャーシのための保持壁である。
【００４５】
第１の部分３１０ａは、管体３１２及び内側端壁３１４により都合よく形成される。管体３１２は、本体３０の外壁３６０内を延び、内側端壁３１４は、管体の一端３１２ａから外壁３６０に広がる。管体３１２には、ＰＣＢ７５及びＰＣＢバッフル７００が取り付けられ、内側端壁３１４はＰＣＢ７５に隣接する。
【００４６】
第２の部分３１０ｂは、内壁２６０と共に単一ユニットとして都合よく形成される管体３３０であり、これらは共に支持リブ（図示せず）を用いて成形される。内壁２６０は、一次流体流路４００内を流れる流体を一次流体出口４４０の方に向かわせる。本体３０の直径は、本体３０の第２の端部３４に向かって減少するので、内壁２６０は、ヒータ８０から排出された流れを一次流体出口４４０の方に向かわせ又は導く流れ誘導部１３２を含む。ヒータ８０は、第２の部分３１０ｂに取り付けられる。ヒータ８０は、共にヒータ素子（図示せず）の周囲に広がる外壁１８０及び内壁８４を有する。
【００４７】
第３の部分３１０ｃは、側壁３５０と共に単一ユニットとして形成されるさらなる管体３２２である。さらなる管体３２２は、第１の部分の管体３１２内で半径方向に広がる。
【００４８】
構成部品を本体３０内の正しい位置に維持するために、第１の部分３１０ａと第２の部分３１０ｂとを共に接続してカートリッジ２５０を形成する。第１の部分３１０ａ及び第２の部分３１０ｂは、複数の保持機能部をさらに含む。
【００４９】
特に図７を参照すると、ヒータ８０の下流端の周囲には、内壁２６０が半径方向に広がる。内壁２６０は、ヒータ８０の方に延びる一対のリップ部２６２、２６４を有し、これらのリップ部２６２、２６４にヒータ８０の外壁１８０が挿入される。内壁２６０の半径方向内面２６０ａは、ヒータ８０から排出された流体を流体出口４４０の方に向ける。
【００５０】
ヒータ８０の上流端８０ａは、位置決めリング８２を含む。位置決めリング８２は、内壁８４の半径方向内向きに延びる位置決め機能部８６を含む。第２の部分３１０ｂは、本体３０の第１の端部３２に向かって長手方向に延びるレッグ部１８６を含む。位置決め機能部８６及びレッグ部１８６は非対称であり、従ってレッグ部１８６は、位置決め機能部８６の周囲を１つの方向でしか通過することができない。
【００５１】
第１の部分３１０ａは、管体３１２の上流端３１２ａに第１の位置決め機能部１０２を有し、これらの第１の位置決め機能部１０２は、レッグ部１８６間に係合するように適合され、この場合もレッグ部１８６は非対称であるため、この係合は１つの方向でしか行うことができない。第１の位置決め機能部１０２及びレッグ部１８６には溝１０４が設けられており、この中にサークリップ１０６を配置して、カートリッジ２５０のこれらの部分をさらなる組み立てのために共に既知の方向で緩やかに保持する。
【００５２】
製造中に全ての構成部品を１つの既知の方向に保持することが有利である理由は、内部ルーミング（looming）が常に同じ経路に沿って導かれて同じ長さの配線を必要とし、ＰＣＢ上の制御ボタン６４のための接続部が正しい場所に配置され、ＰＣＢの構成部品が正しく配向されるからである。
【００５３】
カートリッジ２５０は、説明した通りに組み立てられた後、本体３０に挿入される。カートリッジ２５０は、本体３０内で半径方向及び長手方向に制約される。カートリッジは、第１の端部３２及び第２の端部３４において、カートリッジの周囲で半径方向に離間した制約機能部によって制約されることが理想的である。この例では、４つの制約機能部が存在する。
【００５４】
内壁２６０の外面２６０ｂには、内壁２６０の周囲で外壁３６０に向かって半径方向に円弧状に延びる２つの半径方向に離間したリブ２６６が設けられる。また、内側端壁３１４にも、内側端壁３１４の周囲で外壁３６０に向かって半径方向に円弧状に延びる半径方向に離間した２つのリブ３１６が設けられる。外壁３６０の内面３６０ａは、外壁３６０の周囲に半径方向に円弧状に存在して内面３６０ａから半径方向内向きに延びる二対の協働リブ３６２、３６４を有する。第１の一対の協働リブ３６２は、本体３０の第１の端部３２の付近に配置され、第２の一対の協働リブ３６４は、本体３０の第２の端部３４の付近に配置される。カートリッジ２５０を本体に押し込み、半径方向に離間したリブ２６６、３１６が二対の協働リブ３６２、３６４の上流にくると、停止部３７０に達するまでカートリッジを回転させる。
【００５５】
カートリッジ２５０を回転させた状態に保つために、一組のリブは保持機能部を有する。この例では、本体３０の協働リブ３６２、３６４に、この場合はそれぞれのリブ２６６、３１６上の対応する凹部３７４と協働する突出部である制限部３７２が設けられる。リブ２６６、３１６及び協働リブ３６２、３６４を回転させる場合には、対応する凹部３７４が制限部３７２を収容できるように、リブ２６６、３１６の端部２６６ａ、３１６ａを制限部３７２よりも押し込まなければならない。
【００５６】
本体３０の内壁２６０と外壁３６０との間には、シール用ガスケット１１６が設けられる。このシール用ガスケット１１６は、半径方向に離間したリブ２６６、３１６が二対の協働リブ３６２、３６４の下流に押し込まれると変形する。これにより、外壁３６０と内壁２６０との間が密封され、本体３０内における逆回転の動きを含むカートリッジ２５０の動きを防ぐのに役立つ。
【００５７】
第１の部分３１０ａと第２の部分３１０ｂとの間に形成される間隙を密封するために、第３の部分３１０ｃは、管体３２２の半径方向外面３２２ａの周囲で半径方向に延びるリップシール３４０を有する。第３の部分３１０ｃを本体３０に挿入すると、レッグ部１８６の下流でリップシール３４０が第２の部分３１０ｂに係合して、ダクト３１０内を流れる流体が一次流体流路４００に入り込むのを防ぐ。
【００５８】
本体３０の第１の端部３２には、側壁３５０と外壁３６０との間に、この間隙を密封するようにＯリング３５２を設けて、流体がこの間隙、及び内側端壁３１４と外壁３６０との間の間隙を通じて一次流体流路４００に入り込むのを防ぐ。
【００５９】
側壁３５０は、側壁の内面３５０ａから外向きに延びて内側端壁３１４に設けられた開口部３１８に係合する、半径方向に離間したスナップ嵌合部３５４を有する。側壁は、カートリッジ２５０の回転を停止させるために、外壁の内面３６０ａに設けられた凹部３６６に係合する一対の突出部３５６を有する（図３及び図４ｂを参照）。
【００６０】
従って、カートリッジ２５０の構成部品は、本体３０内に既知の方向で配置され、制限部３７２と対応するリブの凹部３７４との組み合わせ、及び外壁３６０の凹部３６６に係合する側壁３５０の突出部３５６の全てが、壊さなければ開口部３１８から取り除くことができないスナップ嵌合部３５４と連動することにより、この配向から外れることが防がれる。
【００６１】
ヘアドライヤに関して本発明を詳細に説明したが、本発明は、流体を吸い込んでこの流体を機器から流出させるように導くあらゆる機器に適用可能である。
【００６２】
この機器は、ヒータの有無に関わらず使用することができ、流体の高速流出作用は乾燥効果を有する。
【００６３】
一般に、機器内を流れる流体は空気であるが、数種類又は一種類の気体の異なる組み合わせであってもよく、機器の性能、或いは出力が向けられる毛髪などの物体及びそのスタイリングに機器が与える影響を改善する添加物を含むこともできる。
【００６４】
本発明は、上述した詳細な説明に限定されるものではない。当業者には、変形例が明らかであろう。
【符号の説明】
【００６５】
３１０ｂ  第２の部分
３１４  内側端壁
３１６  リブ
３１６ａ  リブの端部
３１８  開口部
３６２  協働リブ
３６４  協働リブ
３６６  凹部
３７０  停止部
３７２  制限部
３７４  凹部
【図１】
0006444361.tif 000002
【図２】
0006444361.tif 000003
【図３】
0006444361.tif 000004
【図４ａ】
0006444361.tif 000005
【図４ｂ】
0006444361.tif 000006
【図５】
0006444361.tif 000007
【図６】
0006444361.tif 000008
【図７】
0006444361.tif 000009